(57)【要約】【課題】車両の運転者が煩雑な操作をしなくても、車両の運転を開始するための操作時に、運転者に対する音声メッセージを更新して出力できるようにする。【解決手段】携帯キー４は、スマートフォン１のユーザの操作に応じてスマートフォン１より、運転者に対する音声メッセージに、該音声メッセージを音声出力する所定の車両運転を開始するための操作タイミングを関連付けした音声メッセージ情報を受信すると、受信した音声メッセージ情報をフラッシュメモリ４４ａに記憶させ、この音声メッセージ情報に関連付けされた操作タイミングに従って、運転者に対する音声メッセージをスピーカ４３より音声出力させる。【選択図】図１
2015166226.tif 000002
【特許請求の範囲】
【請求項１】
車両の運転者に携帯され、前記車両に搭載された車載機（５）との間で前記車両のドアの施錠および解錠の制御のための通信を行う携帯キーであって、
前記運転者に対する音声メッセージを録音するとともに、該音声メッセージに、該音声メッセージを音声出力する所定の車両運転を開始するための操作タイミングを関連付けした音声メッセージ情報を送信する機能を有する情報端末（１）と通信する通信手段（４０）と、
音声を出力するスピーカ（４３）と、
前記情報端末のユーザの操作に応じて前記情報端末より送信される前記音声メッセージ情報を前記通信手段を介して受信すると、該受信した音声メッセージ情報を記憶媒体（４４ａ）に記憶させる音声メッセージ記憶手段と、
前記記憶媒体に記憶された前記音声メッセージ情報に関連付けされた前記操作タイミングに従って、前記運転者に対する音声メッセージを前記スピーカより音声出力させる音声出力手段と、を備えたことを特徴とする携帯キー。
【請求項２】
前記通信手段は、前記情報端末と近距離無線通信することを特徴とする請求項１に記載の携帯キー。
【請求項３】
前記音声メッセージ情報には、前記音声メッセージを前記車載機に接続された車載スピーカから出力するか否かを示す情報が含まれており、
前記情報端末のユーザの操作に応じて前記情報端末より送信される前記音声メッセージ情報を前記通信手段を介して受信すると、該音声メッセージ情報に含まれる前記車載スピーカから出力するか否かを示す情報に基づいて前記音声メッセージを前記車載スピーカから出力するか否かを判定する判定手段と、
前記判定手段により前記音声メッセージを前記車載スピーカから出力すると判定された場合、前記通信手段を介して受信した音声メッセージ情報を、前記車載機へ送信する送信手段と、を備えたことを特徴とする請求項１または２に記載の携帯キー。
【請求項４】
請求項１に記載された携帯キーと通信する情報端末であって、
前記運転者に対する音声メッセージを録音するとともに、該音声メッセージに、該音声メッセージを音声出力する所定の車両運転を開始するための操作タイミングを関連付けした音声メッセージ情報を記憶媒体に記憶させる記憶制御手段と、
ユーザ操作に応じて、前記記憶媒体に記憶された前記音声メッセージ情報を前記携帯キーへ送信する音声メッセージ情報送信手段を備えたことを特徴とする情報端末。
【請求項５】
前記音声メッセージ情報送信手段は、近距離無線通信を介して前記音声メッセージ情報を前記携帯キーへ送信することを特徴とする請求項４に記載の情報端末。
【請求項６】
前記音声メッセージ情報送信手段は、前記音声メッセージを前記車載機に接続された車載スピーカから出力するか否かを示す情報を含む前記音声メッセージ情報を前記携帯キーへ送信することを特徴とする請求項４または５に記載の情報端末。
【請求項７】
請求項３に記載された携帯キーと通信を行う車載機であって、
前記送信手段より送信された前記音声メッセージ情報を受信すると、該音声メッセージ情報を記憶媒体に記憶させる記憶処理手段と、
前記音声メッセージ情報に関連付けされた前記車両運転を開始するための操作タイミングに従って、前記運転者に対する音声メッセージを前記車載スピーカより音声出力させる出力手段と、を備えたことを特徴とする車載機。
【発明の詳細な説明】
【技術分野】
【０００１】
本発明は、携帯キー、情報端末および車載機に関するものである。
【背景技術】
【０００２】
従来、車両用オーディオ機器の記憶部に、乗員が任意にメッセージ情報を記憶させ、所定のメッセージ情報を、乗員の所定乗車操作（例えば、車両のドアを開状態にするための操作）に応じて報知するようにしたものがある（例えば、特許文献１参照）。
【先行技術文献】
【特許文献】
【０００３】
【特許文献１】特開２００８−２３８８３２号公報
【発明の概要】
【発明が解決しようとする課題】
【０００４】
近年、高齢者の増加に伴い、特に、高齢者が引き起こす交通事故が増加している。このような交通事故をなくすべく、運転者の交通安全意識を高められるようなサービスの提供が重要となってきている。
【０００５】
そこで、例えば、乗員の所定乗車操作に応じて、運転者に注意を呼びかけるような音声メッセージを日替わりで出力するといったことが考えられる。なお、このような場合の音声メッセージは、コンピュータによる合成音声や自分の音声よりも、家族や親戚、恋人、友人といった親しい人の音声とするとより効果的である。
【０００６】
しかしながら、上記特許文献１に記載された装置は、車両に乗車して車両用オーディオ機器の記憶部にメッセージ情報を記憶させる構成となっており、親しい人のメッセージ情報を１つ１つ記憶部に記憶させようとすると多大な時間と手間がかかる。
【０００７】
また、メッセージ情報を更新しようとすると、その都度、煩雑な操作が必要となる。特に、高齢者には機器の操作が苦手な人が多く、このような機器の操作が苦手な人は煩雑な操作を行うのに非常に苦労するといった問題がある。
【０００８】
本発明は上記問題に鑑みたもので、車両の運転者が煩雑な操作をしなくても、車両の運転を開始するための操作時に、運転者に対する音声メッセージを更新して出力できるようにすることを目的とする。
【課題を解決するための手段】
【０００９】
上記目的を達成するため、請求項１に記載の発明は、車両の運転者に携帯され、車両に搭載された車載機（５）との間で車両のドアの施錠および解錠の制御のための通信を行う携帯キーであって、運転者に対する音声メッセージを録音するとともに、該音声メッセージに、該音声メッセージを音声出力する所定の車両運転を開始するための操作タイミングを関連付けした音声メッセージ情報を送信する機能を有する情報端末（１）と通信する通信手段（４０）と、音声を出力するスピーカ（４３）と、情報端末のユーザの操作に応じて情報端末より送信される音声メッセージ情報を通信手段を介して受信すると、該受信した音声メッセージ情報を記憶媒体（４４ａ）に記憶させる音声メッセージ記憶手段と、記憶媒体に記憶された音声メッセージ情報に関連付けされた操作タイミングに従って、運転者に対する音声メッセージをスピーカより音声出力させる音声出力手段と、を備えたことを特徴としている。
【００１０】
このような構成によれば、情報端末のユーザの操作に応じて、運転者に対する音声メッセージに、該音声メッセージを音声出力する所定の車両運転を開始するための操作タイミングを関連付けした音声メッセージ情報を送信する機能を有する情報端末より、音声メッセージ情報を受信すると、受信した音声メッセージ情報をフラッシュメモリ４４ａに記憶させ、記憶媒体に記憶された音声メッセージ情報に関連付けされた操作タイミングに従って、運転者に対する音声メッセージがスピーカより音声出力されるので、車両の運転者が煩雑な操作をしなくても、車両運転を開始するための操作時に、運転者に対する音声メッセージを更新して出力することができる。
【００１１】
なお、この欄および特許請求の範囲で記載した各手段の括弧内の符号は、後述する実施形態に記載の具体的手段との対応関係を示すものである。
【図面の簡単な説明】
【００１２】
【図１】本発明の一実施形態に係る携帯キーの全体構成を示す図である。
【図２】スマートフォンのブロック構成を示す図である。
【図３】携帯キーのブロック構成を示す図である。
【図４】キーレス車載機のブロック構成を示す図である。
【図５】スマートフォンの携帯キーアプリのフローチャートである。
【図６】スマートフォンの音声出力条件設定画面の表示例である。
【図７】携帯キーの制御部の音声メッセージ受信処理のフローチャートである。
【図８】携帯キーの制御部の音声メッセージ出力処理のフローチャートである。
【図９】キーレス車載機の制御部の音声メッセージ受信処理のフローチャートである。
【図１０】キーレス車載機の制御部の音声メッセージ出力処理のフローチャートである。
【発明を実施するための形態】
【００１３】
本発明の一実施形態に係る携帯キー、情報端末および情報端末の全体構成を図１に示す。携帯キー４は、車両の運転者に携帯され、車両に搭載されたキーレス車載機（車載機に相当する）５との間で車両のドアの施錠および解錠の制御のための通信を行う。
【００１４】
更に、本携帯キー４は、キーレス車載機５と近距離無線通信するとともに、情報端末としてのスマートフォン１とも近距離無線通信を介して接続することが可能となっている。
【００１５】
スマートフォン１は、情報センタ２や携帯通信会社３等に設置されたサーバ（図示せず）に通信接続して所望のアプリケーションをダウンロードすることが可能となっている。
【００１６】
また、本実施形態におけるスマートフォン１には、運転者に対する音声メッセージの録音、音声メッセージを出力する所定の車両運転を開始するための操作タイミングの設定等を行う携帯キーアプリがダウンロードされている。
【００１７】
本携帯キー４は、交通安全祈願のお守りとして運転者の身につけてもらうようになっており、スマートフォン１と連携した音声メッセージ再生機能を有している。
【００１８】
本実施形態では、高齢者が携帯キー４を所有しており、この高齢者の家族がスマートフォン１を所有しているものとする。高齢者の家族がスマートフォン１の携帯キーアプリを起動して、携帯キー４を所有している高齢者への音声メッセージを録音し、例えば、携帯キー４を所有する高齢者の自宅等で、この高齢者の家族がスマートフォン１から録音した音声メッセージを携帯キー４へ送信すると、録音した音声メッセージが携帯キー４のメモリに記憶される。
【００１９】
そして、この携帯キー４の所有者である高齢者は、この携帯キー４を所持して車両に乗り込み、例えば、車両のエンジン始動スイッチ７０を操作すると、携帯キー４のメモリから音声メッセージが読み出され、この音声メッセージが携帯キー４のスピーカ４５より出力され、運転者への注意の呼び掛けが行われる。
【００２０】
次に、スマートフォン１の構成について説明する。図２に、スマートフォン１のブロック構成を示す。スマートフォン１は、表示部１０、操作部１１、ＧＰＳ受信機１２、公衆無線通信部１３、近距離無線通信部１４、マイク１５、スピーカ１６および制御部１７を備えている。
【００２１】
表示部１０は、液晶等のディスプレイを有し、該ディスプレイに制御部１７より入力される映像信号に応じた映像を表示させる。
【００２２】
操作部１１は、表示部１０のディスプレイの前面に重ねて設けられたタッチスイッチ、表示部１０のディスプレイの周囲に設けられたメカニカルスイッチ等の各種スイッチを有し、ユーザのスイッチ操作に応じた信号を制御部１７へ出力する。
【００２３】
ＧＰＳ受信機１２は、ＧＰＳ衛星からの測位信号を受信し、該測位信号に基づいて現在位置を特定するための情報を制御部１７へ出力する。
【００２４】
公衆無線通信部１３は、音声通話やデータ通信を行うための公衆無線通信回線に通信接続するものである。
【００２５】
近距離無線通信部１４は、ＮＦＣ（Ｎｅａｒ  Ｆｉｅｌｄ  Ｃｏｍｍｕｎｉｃａｔｉｏｎ）通信規格に基づく近接場型の近距離無線通信を行うものである。このＮＦＣ通信規格に基づく近距離無線通信の通信エリアは１メートル程度以下の極短距離となっている。
【００２６】
マイク１５は、ユーザの音声を集音し、ユーザの音声に応じた音声信号を制御部１７へ出力する。スピーカ１６は、制御部１７より入力される音声信号に応じた音声を出力する。
【００２７】
制御部１７は、ＣＰＵ、ＲＡＭ、ＲＯＭ、フラッシュメモリ、Ｉ／Ｏ等を備えたコンピュータとして構成されており、ＣＰＵはＲＯＭに記憶されたプログラムに従って各種処理を実施する。
【００２８】
制御部１７の処理としては、ＧＰＳ受信機１２より入力される現在位置を特定するための情報に基づいて現在位置を特定する現在位置特定処理、公衆無線通信部１３を介して公衆無線通信回線に通信接続して音声通話、メールの送受信、ウェブの閲覧等を行う通信処理、公衆無線通信部１３を介して情報センタ２や携帯通信会社３等に設置されたサーバ（図示せず）に通信接続して、各種プリケーションをダウンロードするダウンロード処理、ダウンロードしたアプリケーションに従った処理を行うアプリケーション処理等がある。
【００２９】
上述したように、本実施形態におけるスマートフォン１には、携帯キーアプリがダウンロードされている。スマートフォン１の携帯キーアプリを起動して任意の音声メッセージを録音すると、スマートフォン１のフラッシュメモリに音声メッセージが記憶される。なお、マイク１５を用いて集音された音声メッセージをスマートフォン１のフラッシュメモリへ記憶させてもよく、例えば、遠方の親戚が所有するスマートフォンや携帯電話から音声メッセージを添付したメールを送信させ、このメールに添付した音声メッセージをスマートフォン１のフラッシュメモリに記憶させるようにしてもよい。
【００３０】
次に、携帯キー４の構成について説明する。図３に、携帯キー４のブロック構成を示す。携帯キー４は、近距離無線通信部４０、電波送受信部４１、スイッチ４２、スピーカ４３および制御部４４を備えている。
【００３１】
近距離無線通信部４０は、ＮＦＣ通信規格に基づく近距離無線通信を行うものである。なお、本実施形態における携帯キー４は、近距離無線通信部４０を介してスマートフォン１とキーレス車載機５の両方とＮＦＣ通信規格に基づく近距離無線通信を行うことが可能となっている。
【００３２】
電波送受信部４１は、キーレス車載機５との間で、車両のドアの解錠、解錠および車両のエンジンの始動許可を行うための電波の送受信を行う。
【００３３】
スイッチ４２は、車両のドアの解錠を指示するための解錠ボタン、車両のドアの施錠を指示するための施錠ボタン（いずれも図示せず）を有しており、ユーザの各ボタンの操作に応じた信号を制御部４４へ出力する。
【００３４】
スピーカ４３は、制御部４４から入力される音声信号に応じた音声を出力するものである。
【００３５】
制御部４４は、ＣＰＵ、ＲＡＭ、ＲＯＭ、Ｉ／Ｏ等を備えたコンピュータとして構成されており、ＣＰＵは、ＲＯＭに記憶されたプログラムに従って各種処理を実施する。なお、制御部４４は、書き換え可能な不揮発性記憶媒体であるフラッシュメモリ４４ａを有している。
【００３６】
制御部４４は、スイッチ４２より、施錠ボタンが操作されたことを示す信号が入力されると、電波送受信部４１よりキーレス車載機５へ車両のドアの施錠を指示する電波を送信させ、解錠ボタンが操作されたことを示す信号が入力されると、電波送受信部４１よりキーレス車載機５へ車両のドアの解錠を指示する電波を送信させる。また、制御部４４は、電波送受信部４１を介してキーレス車載機５との間で、車両のドアの施錠、解錠、エンジンの始動許可のための各種電波の送受信を行う。
【００３７】
次に、キーレス車載機５の構成について説明する。図４に、キーレス車載機５のブロック構成を示す。キーレス車載機５は、近距離無線通信部５０、電波送受信部５１、外部インタフェース５２および制御部５３を備えている。
【００３８】
近距離無線通信部５０は、携帯キー４と近距離無線通信規格に基づく近距離通信を行うものである。本実施形態においては、携帯キー４と同じ、ＮＦＣ通信規格に基づく近距離無線通信を行う。
【００３９】
電波送受信部５１は、携帯キー４との間で、車両のドアの解錠、解錠および車両のエンジンの始動許可を行うための電波の送受信を行う。
【００４０】
外部インタフェース５２には、始動スイッチ７０、車速センサ７１およびタッチセンサ７２が接続されている。
【００４１】
始動スイッチ７０は、ユーザ操作に応じて車両のエンジンの始動を指示する信号を出力するものであり、車速センサ７１は、車両の車速に応じた車速信号を出力するものである。タッチセンサ７２は、車両のドアのドアハンドル部分等に取り付けられ、ユーザがドアに手をかける動作を検出し、検出結果を出力する。
【００４２】
制御部５３には、始動スイッチ７０、車速センサ７１およびタッチセンサ７２から外部インタフェース５２を介して各種信号が入力される。
【００４３】
また、制御部５３には、車室内に取り付けられた車載スピーカ６０とインストルメントパネル等に取り付けられたディスプレイ６１が接続されている。車載スピーカ６０は、制御部５３より入力される音声信号に応じた音声を出力する。また、ディスプレイ６１は、制御部５３より入力される映像信号に応じた映像を表示する。
【００４４】
キーレス車載機５の制御部５３は、携帯キー４との間で電波の送受信を行って、携帯キー４が正規のものであるか否かを判定し、携帯キー４が正規のものであると判定した場合に限って、車両のドアの解錠制御や施錠制御、車両のエンジンの始動許可を行う。
【００４５】
また、本実施形態における制御部５３は、車両のドアを施錠制御すると、近距離無線通信部５０を介して携帯キー４に車両のドアを施錠したことを通知し、車両のエンジンＥＣＵ（図示せず）にエンジンの始動を許可すると、近距離無線通信部５０を介して携帯キー４に車両のエンジンの始動を許可したことを通知し、車速センサより入力される車速信号に基づいて車両が走行を開始したことを判定すると、近距離無線通信部５０を介して携帯キー４に車両が走行を開始したことを通知するようになっている。
【００４６】
次に、スマートフォン１の携帯キーアプリの処理について説明する。図５に、スマートフォン１の携帯キーアプリのフローチャートを示す。スマートフォン１の制御部１７は、ユーザ操作に応じて携帯キーアプリを起動すると、図５に示す処理を周期的に実施する。
【００４７】
まず、録音するか否かを判定する（Ｓ１００）。具体的には、表示部１０に録音ボタンと停止ボタンを含む録音画面を表示させ、この録音画面に従ってユーザにより音声メッセージの録音の開始が指示されたか否かを判定する。
【００４８】
ここで、ユーザにより録音ボタンがタッチ操作されると、Ｓ１００の判定はＹＥＳとなり、音声メッセージの録音を開始する（Ｓ１０２）。具体的には、音声メッセージの録音を開始し、マイク１５より入力される音声信号を制御部１７のフラッシュメモリに記憶させる。そして、ユーザにより停止ボタンが操作されると、録音を停止する。
【００４９】
次に、音声メッセージの音声出力条件を設定する（Ｓ１０４）。具体的には、ユーザによる音声出力条件設定画面への切り替え指示に応じて、表示部１０の表示を音声出力条件設定画面に切り替え、この画面表示に従って音声メッセージの音声出力条件を受け付ける。図６に、音声出力条件設定画面の表示例を示す。
【００５０】
図に示すように、スマートフォン１のユーザは、音声出力条件設定画面に従って、音声メッセージ毎に、各音声メッセージを出力するスピーカと、音声メッセージを出力するタイミングを設定できるようになっている。なお、音声出力条件の設定完了時には、音声出力条件設定画面に含まれる「決定」ボタンをタッチ操作するようになっている。
【００５１】
例えば、メッセージ１について、音声メッセージを出力するスピーカとして携帯キーを設定し、タイミングをドアロック解除時、といったように設定することが可能である。
【００５２】
また、メッセージ２について、音声メッセージを出力するスピーカとして車載スピーカを設定し、タイミングを始動スイッチ操作時、といったように設定することが可能である。
【００５３】
ここで、音声メッセージの音声出力条件が入力された後、音声出力条件設定画面に含まれる「決定」ボタンがタッチ操作されると、入力された各音声出力条件を、制御部１７のフラッシュメモリに記憶された各音声メッセージと関連付けする。なお、音声出力条件には、音声メッセージを出力するスピーカを示すスピーカ情報と音声メッセージを出力する所定の車両運転を開始するための操作タイミングを表すタイミング情報が含まれる。このようにして、制御部１７のフラッシュメモリには、音声メッセージに、音声出力条件を関連付けした音声メッセージ情報が記憶される。
【００５４】
次に、録音し直すか否かを判定する（Ｓ１０６）。具体的には、表示部１０の表示を、録音のやり直しを確認する画面に切り替え、録音し直すか否かを判定する。
【００５５】
ここで、ユーザ操作により録音のやり直しが指示されない場合には、Ｓ１０６の判定はＮＯとなり、本処理を終了する。なお、ユーザ操作により録音のやり直しが指示された場合には、Ｓ１０６の判定はＹＥＳとなり、Ｓ１０２へ戻って、再度、録音をやり直しを行う。
【００５６】
また、ユーザにより音声メッセージの録音の開始が指示されない場合、Ｓ１００の判定はＮＯとなり、次に、音声メッセージを携帯キー４に送信するか否かを判定する（Ｓ１０８）。具体的には、ユーザによる送信確認画面への切り替え指示に応じて、表示部１０の表示を送信確認画面に切り替え、この画面表示に従って、音声メッセージを携帯キー４に送信するか否かを判定する。なお、この送信確認画面には、例えば、「音声メッセージを送信する携帯キーをスマートフォンに接近させてください。」といったメッセージが表示される。
【００５７】
ここで、例えば、スマートフォン１のユーザの操作に応じて音声メッセージ情報の送信が許可されると、Ｓ１０８の判定はＹＥＳとなり、制御部１７のフラッシュメモリから音声メッセージ情報を読み出して、この読み出した音声メッセージ情報を近距離無線通信部１４を介して携帯キー４へ送信する。すなわち、録音した音声をメールに添付して送信するボイスメールのように、録音した音声メッセージを含む音声メッセージ情報を、近距離無線通信部１４を介して直接携帯キー４へ送信し、本処理を終了する。
【００５８】
なお、スマートフォン１のユーザの操作に応じて音声メッセージ情報の送信指示が許可されない場合、Ｓ１０８の判定はＮＯとなり、音声メッセージ情報を送信することなく、本処理を終了する。
【００５９】
次に、携帯キー４の制御部４４による音声メッセージ受信処理について説明する。図７に、携帯キー４の制御部４４による音声メッセージ受信処理のフローチャートを示す。携帯キー４の制御部４４は、周期的に図４に示す処理を実施する。
【００６０】
まず、音声メッセージ情報を受信したか否かを判定する（Ｓ２００）。具体的には、スマートフォン１から近距離無線通信部４０を介して音声メッセージ情報を受信したか否かを判定する。
【００６１】
ここで、スマートフォン１からの音声メッセージ情報が受信されない場合、Ｓ２００の判定はＮＯとなり、Ｓ２００の判定を繰り返し実施する。
【００６２】
また、スマートフォン１から近距離無線通信部４０を介して音声メッセージ情報が受信されると、Ｓ２００の判定はＹＥＳとなり、次に、受信した音声メッセージ情報をキーレス車載機５へ送信するか否かを判定する（Ｓ２０２）。具体的には、受信した音声メッセージ情報に含まれるスピーカ情報により音声メッセージの出力スピーカとして車載スピーカが示されている場合には、受信した音声メッセージ情報をキーレス車載機５へ送信し、受信した音声メッセージ情報に含まれるスピーカ情報により音声メッセージの出力スピーカとして携帯キーが示されている場合には、受信した音声メッセージ情報をキーレス車載機５へ送信しないと判定する。
【００６３】
ここで、受信した音声メッセージ情報に含まれるスピーカ情報により音声メッセージの出力スピーカが携帯キーとなっている場合、Ｓ２０２の判定はＮＯとなり、受信した音声メッセージ情報を制御部４４のフラッシュメモリ４４ａに記憶させる（Ｓ２０４）。なお、新たに受信した音声メッセージ情報に含まれる音声メッセージを出力するタイミングが、フラッシュメモリ４４ａに既に記憶されているものと同じとなっている場合には、新たに受信した音声メッセージ情報で、フラッシュメモリ４４ａに既に記憶されている音声メッセージ情報を上書きして更新する。
【００６４】
次に、受信した音声メッセージ情報の制御部４４のフラッシュメモリ４４ａへの記憶が正常終了したか否かを判定する（Ｓ２０６）。ここで、受信した音声メッセージ情報の制御部４４のフラッシュメモリ４４ａへの記憶が正常終了した場合場合、Ｓ２０６の判定はＹＥＳとなり、本処理を終了する。
【００６５】
また、受信した音声メッセージ情報の制御部４４のフラッシュメモリ４４ａへの記憶が正常終了していない場合には、Ｓ２０６の判定はＮＯとなり、Ｓ２０８へ戻る。そして、受信した音声メッセージ情報の制御部４４のフラッシュメモリ４４ａへの記憶が正常終了すると、Ｓ２０６の判定はＹＥＳとなり、本処理を終了する。
【００６６】
また、受信した音声メッセージ情報に含まれるスピーカ情報により音声メッセージの出力スピーカとして車載スピーカが示されている場合には、Ｓ２０２の判定はＹＥＳとなり、次に、受信した音声メッセージ情報をキーレス車載機５へ送信する（Ｓ２０８）。具体的には、受信した音声メッセージ情報を近距離無線通信部４０を介してキーレス車載機５へ送信し、本処理を終了する。
【００６７】
次に、携帯キー４の制御部４４による音声メッセージ出力処理について説明する。図８に、携帯キー４の制御部４４による音声メッセージ出力処理のフローチャートを示す。携帯キー４の制御部４４は、図７に示した音声メッセージ受信処理と並行して、図８に示す処理を周期的に実施する。
【００６８】
まず、フラッシュメモリ４４ａから音声メッセージ情報を読み出す（Ｓ３００）。具体的には、フラッシュメモリ４４ａに記憶されている全ての音声メッセージ情報を読み出すとともに、キーレス車載機５から車両運転を開始するための操作の実施を判定するための情報を取得する。車両運転を開始するための操作の実施を判定するための情報には、例えば、車両のドアの解錠を示す情報、車両のエンジンの始動を示す情報、車両が走行を開始したことを示す情報がある。
【００６９】
次に、音声メッセージ情報に含まれる音声メッセージの音声出力条件に従って、音声メッセージの音声出力条件を満たしているか否かを判定する（Ｓ３０２）。具体的には、車両運転を開始するための操作の実施を判定するための情報に基づいて、フラッシュメモリ４４ａから読み出した音声メッセージ情報に含まれる音声出力条件が満たされているか否かを判定する。
【００７０】
ここで、例えば、フラッシュメモリ４４ａから読み出した音声メッセージ情報に含まれる音声出力条件として、音声メッセージの出力スピーカが携帯キーとなっており、タイミングが車両のドアの解錠時となっており、車両運転を開始するための操作の実施を判定するための情報に基づいて車両のドアの解錠時となっていることが判定された場合、フラッシュメモリ４４ａから読み出した音声メッセージ情報に含まれる音声メッセージをスピーカ４３から出力させる。
【００７１】
すなわち、音声メッセージに基づく音声信号をスピーカ４３へ出力する。これにより、車両のドアの解錠時に、車両の運転者の家族の音声メッセージが携帯キー４のスピーカ４３より出力される。
【００７２】
また、スマートフォン１から新たな音声メッセージ情報が送信され、フラッシュメモリ４４ａに記憶されている音声メッセージ情報が更新されると、携帯キー４のスピーカ４３より出力される音声メッセージも更新される。
【００７３】
次に、キーレス車載機５の制御部５３の音声メッセージ出力処理について説明する。図９に、キーレス車載機５の制御部５３の音声メッセージ受信処理のフローチャートを示す。キーレス車載機５の制御部５３は、周期的に図９に示す処理を実施する。
【００７４】
まず、音声メッセージ情報を受信したか否かを判定する（Ｓ４００）。具体的には、携帯キー４から近距離無線通信部５０を介して音声メッセージ情報を受信したか否かを判定する。
【００７５】
ここで、携帯キー４からの音声メッセージ情報が受信されない場合、Ｓ４００の判定はＮＯとなり、Ｓ４００の判定を繰り返し実施する。
【００７６】
そして、携帯キー４から近距離無線通信部５０を介して音声メッセージ情報が受信されると、Ｓ４００の判定はＹＥＳとなり、次に、受信した音声メッセージ情報をメモリ５３ａに記憶させる。
【００７７】
次に、受信した音声メッセージ情報のメモリ５３ａへの記憶が正常終了したか否かを判定する（Ｓ４０４）。ここで、受信した音声メッセージ情報のメモリ５３ａへの記憶が正常終了した場合場合、Ｓ４０４の判定はＹＥＳとなり、本処理を終了する。
【００７８】
また、受信した音声メッセージ情報のメモリ５３ａへの記憶が正常終了していない場合には、Ｓ４０４の判定はＮＯとなり、Ｓ４０２へ戻る。そして、受信した音声メッセージ情報のメモリ５３ａへの記憶が正常終了すると、Ｓ４０４の判定はＹＥＳとなり、本処理を終了する。
【００７９】
次に、キーレス車載機５の制御部５３の音声メッセージ出力処理について説明する。図１０に、キーレス車載機５の制御部５３の音声メッセージ出力処理のフローチャートを示す。キーレス車載機５の制御部５３は、図９に示した処理と並行して図１０に示す処理を周期的に実施する。
【００８０】
まず、メモリ５３ａから音声メッセージ情報を読み出す（Ｓ５００）。具体的には、メモリ５３ａに記憶されている全ての音声メッセージ情報を読み出す。
【００８１】
次に、音声メッセージ情報に含まれる音声メッセージの音声出力条件に従って、音声メッセージの音声出力条件を満たしているか否かを判定する（Ｓ５０２）。具体的には、メモリ５３ａから読み出した音声メッセージ情報に含まれる音声出力条件が満たされているか否かを判定する。
【００８２】
ここで、例えば、メモリ５３ａから読み出した音声メッセージ情報に含まれる音声出力条件から、音声メッセージの出力スピーカが車載スピーカとなっており、タイミングが車両のドアの解錠時となっており、車両のドアを解錠したことを判定した場合、メモリ５３ａから読み出した音声メッセージ情報に含まれる音声メッセージを車載スピーカ６０から出力させる。
【００８３】
すなわち、音声メッセージに基づく音声信号を車載スピーカ６０へ出力する。これにより、車両のドアの解錠時に、車両の運転者の家族の音声メッセージが車載スピーカ６０より出力される。
【００８４】
また、例えば、メモリ５３ａに記憶されている音声メッセージ情報が日替わりで更新されれば、携帯キー４のスピーカ４３より出力される音声メッセージも日替わりで更新される。
【００８５】
上記した構成によれば、携帯キー４は、スマートフォン１のユーザの操作に応じて、運転者に対する音声メッセージに、該音声メッセージを音声出力する所定の車両運転を開始するための操作タイミングを関連付けした音声メッセージ情報を送信する機能を有するスマートフォン１より、音声メッセージ情報を受信すると、受信した音声メッセージ情報をフラッシュメモリ４４ａに記憶させ、フラッシュメモリ４４ａに記憶された音声メッセージ情報に関連付けされた操作タイミングに従って、運転者に対する音声メッセージがスピーカ４３より音声出力されるので、車両の運転者が煩雑な操作をしなくても、車両の運転者の所定乗車操作時に、運転者に対する音声メッセージを更新して出力することができる。
【００８６】
すなわち、車両の運転者が煩雑な操作をしなくても、車両運転を開始するための操作時に、家族などの愛する人の声で、運転への注意を呼び掛けることができる。また、車両の運転者がスマートフォン１を操作することができなくても、例えば、運転者の家族の誰かがスマートフォン１を用いて携帯キー４へ適宜音声メッセージを送信することで、運転者に対する音声メッセージを日替わりで更新することができる。このように、家族の暖かいメッセージを日替わりで更新することで、運転者は知らず知らずのうちに、安全運転への意識を高めることができる。
【００８７】
また、例えば、スマートフォン１から携帯キー４へ音声メッセージ情報を添付したメールにより送信する構成では、携帯キー４にメール送受信機能を備える必要があり構成が複雑となるが、スマートフォン１から携帯キー４へ近距離無線通信部１４を介して音声メッセージ情報を送信するので、携帯キー４にメール送受信機能を備える必要がなく、簡素な構成で、スマートフォン１から携帯キー４からへ音声メッセージ情報を送信することができる。
【００８８】
また、音声メッセージ情報には、音声メッセージをキーレス車載機５に接続された車載スピーカから出力するか否かを示す情報が含まれており、携帯キー４は、スマートフォン１のユーザの操作に応じてスマートフォン１より送信される音声メッセージ情報を受信すると、該音声メッセージ情報に含まれる車載スピーカ６０から出力するか否かを示す情報に基づいて音声メッセージを車載スピーカ６０から出力するか否かを判定し、音声メッセージを車載スピーカ６０から出力すると判定された場合、受信した音声メッセージ情報を、キーレス車載機５へ送信するようになっており、キーレス車載機５に接続された車載スピーカ６０から音声メッセージを出力させることが可能であるので、携帯キー４のスピーカ４３より音声メッセージを出力する場合と比較して、携帯キー４の消費電力を低減することが可能である。また、車載スピーカ６０から音声メッセージを大きな音量で出力させることも可能である。
【００８９】
また、スマートフォン１は、運転者に対する音声メッセージを録音するとともに、該音声メッセージに、該音声メッセージを音声出力する所定の車両運転を開始するための操作タイミングを関連付けした音声メッセージ情報をフラッシュメモリに記憶させ、ユーザ操作に応じて、フラッシュメモリに記憶された音声メッセージ情報を携帯キー４へ送信するので、車両の運転者は煩雑な操作をしなくても、車両の運転者の所定乗車操作時に、運転者に対する音声メッセージを更新して出力することが可能である。
【００９０】
また、キーレス車載機５の制御部５３は、携帯キー４から音声メッセージ情報を受信すると、該音声メッセージ情報を記憶媒体に記憶させ、音声メッセージ情報に関連付けされた車両運転を開始するための操作タイミングに従って、運転者に対する音声メッセージを車載スピーカより音声出力させるので、車両の運転者が煩雑な操作をしなくても、車両の運転者の所定乗車操作時に、運転者に対する音声メッセージを更新して出力することができる。
【００９１】
なお、本発明は上述の実施形態に限定されることなく、本発明の趣旨を逸脱しない範囲内で、以下のように種々変形可能である。
【００９２】
例えば、上記実施形態では、ＮＦＣ通信規格に基づく近距離無線通信を介して携帯キー４とスマートフォン１の間の通信を行うようにしたが、例えば、Ｂｌｕｅｔｏｏｔｈ通信規格（Ｂｌｕｅｔｏｏｔｈは登録商標）、ＷｉＦｉ規格といったＳＶＩ（Ｓｍａｒｔｐｈｏｎｅ  Ｖｅｈｉｃｌｅ  Ｉｎｔｅｇｒａｔｉｏｎ）と呼ばれる近距離無線通信を介して携帯キー４とスマートフォン１の間の通信を行うようにしてもよい。また、近距離無線通信以外の通信を介して携帯キー４とスマートフォン１の間の通信を行うこともできる。
【００９３】
また、上記実施形態では、高齢者が携帯キー４を所有し、この高齢者の家族がスマートフォン１を所有しているものとして説明したが、携帯キー４とスマートフォン１の所有者は、同一人物であっても、互いに異なる人であってもよい。
【００９４】
また、上記実施形態では、音声メッセージを音声出力する所定の車両運転を開始するための操作タイミングとして、車両のドアロック解除時、車両のエンジン始動スイッチ７０の操作時、走行開始時を例にあげたが、例えば、車両のドア開スイッチがオンからオフ、またはオフからオンに変化したとき、チャイルドロックが操作されたとき、乗員が着座するシートが調整されたとき、サイドミラーが閉じた状態から開いた状態に変化したとき、シフトレバーの位置がパーキング（Ｐ）からパーキング以外になったときとすることもできる。
【００９５】
なお、上記実施形態における構成と特許請求の範囲の構成との対応関係について説明すると、近距離無線通信部４０が通信手段に相当し、制御部４４のフラッシュメモリ４４ａが記憶媒体に相当し、Ｓ２０４が音声メッセージ記憶手段に相当し、Ｓ３０４が音声出力手段に相当し、Ｓ２０２が判定手段に相当し、Ｓ２０８が送信手段に相当し、Ｓ１０２、Ｓ１０４が記憶制御手段に相当し、Ｓ１１０が音声メッセージ情報送信手段に相当し、Ｓ５００が記憶処理手段に相当し、Ｓ５０４が出力手段に相当する。
【符号の説明】
【００９６】
１    スマートフォン
２    情報センタ
３    携帯通信会社
４    携帯キー
５    キーレス車載機
１４  近距離無線通信部
４０  近距離無線通信部
５０  近距離無線通信部
【図１】
2015166226.tif 000003
【図２】
2015166226.tif 000004
【図３】
2015166226.tif 000005
【図４】
2015166226.tif 000006
【図５】
2015166226.tif 000007
【図６】
2015166226.tif 000008
【図７】
2015166226.tif 000009
【図８】
2015166226.tif 000010
【図９】
2015166226.tif 000011
【図１０】
2015166226.tif 000012